【事件の表示】
　特許第２８４０５０９号「カメラ・システムならびにアダプタが装着自在なカメラおよびその制御方法」の特許に対する特許異議の申立てについて、次のとおり決定する。
【結　論】
　訂正を認める。
　特許第２８４０５０９号の請求項１ないし３に係る特許を維持する。
【理　由】
（１）手続きの経緯
　本件特許第２８４０５０９号発明は、平成４年１０月２７日に特許出願され、平成１０年１０月１６日にその発明の特許がなされ、その後、石川　知寿より特許異議の申立てがなされ、取消理由通知がなされ、その指定期間内である平成１１年１１月２日に訂正請求（後日取り下げ）がなされた後、再度の取消理由通知がなされ、その指定期間内である平成１２年５月３０日に訂正請求がなされたものである。
（２）訂正の適否についての判断
（ｉ）特許請求の範囲の訂正
ア.訂正明細書の請求項１に係る発明
　訂正明細書の請求項１に係る発明は、その特許請求の範囲の請求項１に特定された次のとおりのものである。
　「【請求項１】ストロボ発光条件下においてシャッタ・レリーズ・ボタンの押下に応答してストロボ発光するカメラ・ストロボを有するカメラ、およびストロボ発光設定下においてカメラのシャッタ・レリーズ・ボタンの押下に応答してストロボ発光するアダプタ・ストロボを有するストロボ・アダプタから構成され、上記カメラが、カメラに上記ストロボ・アダプタが装着されているかどうかを検知するストロボ・アダプタ装着検知手段、上記アダプタ・ストロボがストロボ発光設定下にあるかどうかを検知するストロボ発光設定状況検知手段、ならびに上記ストロボ・アダプタ装着検知手段による上記ストロボ・アダプタの装着の検知および上記ストロボ発光設定状況検知手段による上記アダプタ・ストロボのストロボ発光の設定の検知に応答して、ストロボ発光条件下において、上記カメラ・ストロボの発光光量を、上記ストロボ・アダプタの未装着または上記アダプタ・ストロボのストロボ発光設定の未設定のときに比べて減光するように上記カメラ・ストロボを制御するストロボ制御手段、を備えたカメラ・システムにおいて、上記ストロボ・アダプタ装着検知手段が、上記ストロボ・アダプタが上記カメラに装着されることにより相互に接続される上記カメラ側の抵抗回路と上記ストロボ・アダプタ側の抵抗回路とから構成される抵抗分圧回路、および上記抵抗分圧回路に所定の標準電圧を印加する安定化電源回路を備え、上記抵抗分圧回路の分圧電圧にもとづいて、上記ストロボ・アダプタの装着の有無を検知する、カメラ・システム。」
イ.訂正明細書の請求項２に係る発明
　訂正明細書の請求項２に係る発明は、その特許請求の範囲の請求項２に特定された次のとおりのものである。
　「【請求項２】ストロボ発光条件下においてシャッタ・レリーズ・ボタンの押下に応答してストロボ発光するカメラ・ストロボ、ストロボ発光設定下においてカメラのシャッタ・レリーズ・ボタンの押下に応答してストロボ発光するアダプタ・ストロボを備えたストロボ・アダプタが装着されているかどうかを検知するストロボ・アダプタ装着検知手段、上記アダプタ・ストロボがストロボ発光設定下にあるかどうかを検知するストロボ発光状況検知手段、ならびに上記ストロボ・アダプタ装着検知手段による上記ストロボ・アダプタの装着の検知および上記ストロボ発光設定状況検知手段による上記アダプタ・ストロボのストロボ発光の設定の検知に応答して、ストロボ発光条件下において上記カメラ・ストロボの発光光量を、上記ストロボ・アダプタの未装着または上記アダプタ・ストロボのストロボ発光設定の未設定のときに比べて減光するように上記カメラ・ストロボを制御するストロボ制御手段、を備えたカメラにおいて、上記ストロボ・アダプタ装着検知手段が、上記ストロボ・アダプタが上記カメラに装着されることにより相互に接続される上記カメラ側の抵抗回路と上記ストロボ・アダプタ側の抵抗回路とから構成される抵抗分圧回路、および上記抵抗分圧回路に所定の標準電圧を印加する安定化電源回路を備え、上記抵抗分圧回路の分圧電圧にもとづいて、上記ストロボ・アダプタの装着の有無を検知する、カメラ。」
ウ.訂正明細書の請求項３に係る発明
　訂正明細書の請求項３に係る発明は、その特許請求の範囲の請求項３に特定された次のとおりのものである。
　「【請求項３】ストロボ発光条件下においてシャッタ・レリーズ・ボタンの押下に応答してストロボ発光するカメラ・ストロボを有するカメラにおいて、ストロボ発光設定下においてカメラのシャッタ・レリーズ・ボタンの押下に応答してストロボ発光するアダプタ・ストロボを備えたストロボ・アダプタが装着されているかどうかを検知し、上記アダプタ・ストロボがストロボ発光設定下にあるかどうかを検知し、上記ストロボ・アダプタの装着の検知および上記アダプタ・ストロボのストロボ発光の設定の検知に応答して、ストロボ発光条件下において上記カメラ・ストロボの発光光量を、上記ストロボ・アダプタの未装着または上記アダプタ・ストロボのストロボ発光設定の未設定のときに比べて減光するように上記カメラ・ストロボを制御する、カメラの制御方法において、上記ストロボ・アダプタが上記カメラに装着されることにより相互に接続される上記カメラ側の抵抗回路と上記ストロボ・アダプタ側の抵抗回路とから構成される抵抗分圧回路、および上記抵抗分圧回路に所定の標準電圧を印加する安定化電源回路を設け、上記抵抗分圧回路の分圧電圧にもとづいて、上記ストロボ・アダプタの装着の有無を検知する、カメラの制御方法。」
（ｉｉ）発明の詳細な説明の訂正
ア.明細書中の段落【０００６】(特許掲載公報第４欄第１６行乃至第１７行)の「上記カメラ・ストロボを制御するストロボ制御手段を備えている。」を「上記カメラ・ストロボを制御するストロボ制御手段を備えており、上記ストロボ・アダプタ装着検知手段は、上記ストロボ・アダプタが上記カメラに装着されることにより相互に接続される上記カメラ側の抵抗回路と上記ストロボ・アダプタ側の抵抗回路とから構成される抵抗分圧回路、および上記抵抗分圧回路に所定の標準電圧を印加する安定化電源回路を備え、上記抵抗分圧回路の分圧電圧にもとづいて、上記ストロボ・アダプタの装着の有無を検知することを特徴とする。」と訂正する。
（ｉｉｉ）訂正の目的の適否及び拡張・変更の存否等
　上記訂正（ｉ）は、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正（ｉｉ）は、特許請求の範囲の訂正に付随する訂正であるから、発明の詳細な説明の欄中の明瞭でない記載の釈明を目的とするものであり、願書に添付した明細書又は図面に記載された事項の範囲内のものであり、新規事項の追加もない。
（ｉｖ）独立特許要件の判断
（引用刊行物に記載された発明）
訂正前明細書の請求項１〜３に係る発明に対して、
当審が通知した取消理由で引用した特開昭６０−１９２９２号公報（以下「第１引用例」という。）には、「本発明は、発光量が自動及び手動で制御可能な電子閃光発光装置（以下フラッシュ装置と言う）に関し、特に該フラッシュ装置が内蔵されたカメラ又は該フラッシュ装置と連結されたカメラの状態に応じて制御態様が切換えられるフラッシュ装置及びそのようなカメラとフラッシュ装置とから成るフラッシュ撮影システムに関する。」（第２頁右上欄第１３行乃至第１９行）、「第１図はこの発明を適用したフラッシュ撮影システムの全体構成を示すブロック図である。・・・（Ｖ）はレンズ交換式一眼レフレックスカメラ本体であり、このカメラ本体には、フラッシュ装置と電気的に接続するためのコネクタ（ＣＮ９）、（ＣＮ３）が設けられている。コネクタ（ＣＮ９）はカメラ上部のホットシュー（不図示）に設けられていて電子閃光発光装置（以下フラッシュ装置と云う）がホットシューを介してカメラに装着されるとフラッシュ装置の回路と直接電気的に接続される。コネクタ（ＣＮ３）はカメラ底部に設けられ、後述のフラッシュコントローラ（ＩＶ）を介してフラッシュ装置と電気的に接続され・・・（ＩＶ）はそれに接続されるフラッシュ装置を制御するフラッシュコントローラであり、カメラ本体底部のコネクタ（ＣＮ３）にコネクタ（ＣＮ４）を介して電気的に接続される。・・・（Ｉ）は２灯式のフラッシュ装置であり、・・・フラッシュコントローラ（ＩＶ）に・・・に接続されている。（ＩＩ）は１灯式のフラッシュ装置であり、カメラ本体（Ｖ）のホットシューに設けられたコネクタ・・・を介して電気的に接続されている。（ＩＩＩ）はフラッシュ装置（ＩＩ）と同じ構成の１灯式のフラッシュ装置であり、・・・フラッシュコントローラ（ＩＶ）に・・・電気的に接続されている。第１図は、カメラ本体（Ｖ）とフラッシュコントローラ（ＩＶ）及びフラッシュ装置（Ｉ）、（ＩＩ）、（ＩＩＩ）との接続のしかたの一例を示したものであり、・・・」（第３頁左上欄第１４行乃至第４頁左上欄第１８行）、「（Ｓ１）はレリーズボタン（不図示）の押下の１段目で閉成される測光スイッチ、（Ｓ２）はレリーズボタン（不図示）の押下の２段目で閉成されるレリーズスイッチであり、・・・」（第４頁右上欄第１行乃至第４行）、「スイッチ（Ｓｘ）はシャッタ先膜の走行が完了すると閉成されるシンクロスイッチであり、このシンクロスイッチ（Ｓｘ）の信号がライン（１１）を介してフラッシュ装置（ＩＩ）、フラッシュコントローラ（ＩＶ）、フラッシュ装置（Ｉ）に伝達される。」（第５頁左上欄第１行乃至第６行）、「発光モードの判別結果に応じてフラッシュ装置（ＩＩ）を発光させるかまどうかを決定し、・・・」（第７頁左下欄第１行乃至第３行）、「また、図示のように、ホットシューとフラッシュコントローラに夫々フラッシュ装置が装着され、さらに、フラッシュコントローラのコネクタ（ＣＮ７）にフラッシュ装置が装着されている場合は次のような発光モードとなる。フラッシュコントローラ（ＩＶ）が同時モードを選択しているときは、・・・フラッシュ装置（ＩＩＩ）は発光しない。・・・順次発光モードを選択していると、２つのフラッシュ装置（ＩＩ）、（Ｉ）が順次発光した後、・・・フラッシュ装置（ＩＩＩ）が発光する。」（第８頁左上欄第１２行乃至右上欄第４行）、「次に、フラッシュコントローラ（ＩＶ）について説明する。（ＢＡ２）は電源電池、（ＭＳ２）はメインスイッチである。（ＣＮＣ）は処理回路であり、カメラ本体（Ｖ）からのクロックパルスに基づいて、フラッシュ装置（Ｉ）及び（ＩＩ）からのデータを読み取ってフラッシュ装置の装着状態及びフラッシュ装置の内部の状態を判別し、発光モードを決定し、カメラからのクロックパルスに基づいて、発光モードの信号をフラッシュ装置に送る。そして、次に、カメラ本体からのクロックパルスに基づいて発光モード及びフラッシュ装置の状態を示す信号をカメラに送る。」（第７頁右上欄第１０行乃至左下欄第１行）、「そして、次に、カメラ本体からのクロックパルスに基づいて発光モード及びフラッシュ装置の状態を示す信号をカメラに送る。さらには、発光モードの判別結果に応じてフラッシュ装置（ＩＩＩ）を発光させるかどうかを決定し、発光させるときは（順次発光モード）２つのフラッシュ装置の発光後に端子（１２１）に発光開始信号を出力する。」（第７頁右上欄第１９行乃至左下欄第５行）、「また、図示のように、ホットシューとフラッシュコントローラに夫々フラッシュ装置が装着され、さらに、フラッシュコントローラのコネクタ（ＣＮ７）にフラッシュ装置が装着されている場合は次のような発光モードとなる。フラッシュコントローラ（ＩＶ）が同時モードを選択しているときは、端子（１２１）からは発光開始信号は出力されずフラッシュ装置（ＩＩＩ）は発光しない。フラッシュコントローラ（ＩＶ）順次発光モードを選択していると、２つのフラッシュ装置（ＩＩ）、（Ｉ）が順次発光した後、端子（１２１）から発光開始信号が出力されて、フラッシュ装置（ＩＩＩ）が発光する。」（第８頁左上欄第１２行乃至右上欄第４行）、及び「フラッシュコントローラ（ＩＶ）が同時モードを選択しているときには、２つのフラッシュ装置が同時に発光して、両方の発光量を合せた発光量が適正露光に達すると同時に発光を停止する。」（第７頁右下欄第１６行乃至第２０行）との記載があり、同じく引用した特開平３−２７１７２９号公報（以下、「第２引用例」という。）には、「カメラに内蔵された内蔵ストロボと、前記カメラに着脱自在に取付けられた外付ストロボと、前記カメラに設けられた外付ストロボスイッチと、前記外付ストロボに設けられ前記外付ストロボスイッチを操作する操作手段と、ストロボ撮影の必要／不必要を判別する判別手段と、・・・を有するカメラのストロボ制御装置。」（第１頁左欄第５行乃至右欄第４行）、「本発明はカメラのストロボ制御装置に関し、より詳しくは、カメラに内蔵された内蔵ストロボと当該カメラに着脱自在に取付けられた外付ストロボとを制御するためのストロボ制御装置に関する。」（第１頁右欄第１５行乃至第１９行）、「第３図は本発明の一実施例を示す構成図である。図において、１はカメラ、２は外付ストロボ、３はカメラ１に内蔵された内蔵ストロボである。・・・カメラ側インターフェイス９は外付ストロボ発光信号投光素子９ａ、外付ストロボ充電完了信号受光素子９ｂおよび外付ストロボスイッチ９ｃを有している。・・・」（第３頁左上欄第３行乃至左下欄第１５行）、「第４図は外付ストロボスイッチオン／オフ部材１３ｃによって外付ストロボスイッチ９ｃを操作するための構成の一例を示す図である。・・・」（第４頁左上欄第６行乃至右上欄第２０行）、及び「上述から明らかなように、外界がストロボ撮影を必要とする明るさで、且つ、電源スイッチ１７がｃ位置に操作され、外付ストロボ２に電源が供給されていると共に、外付ストロボスイッチオン／オフ部材１３ｃが突出して外付ストロボスイッチ９ｃがオンになっていると、内蔵ストロボ３がシャッタ１１の開動作に先立ってプレ発光し、外付ストロボ２がシャッタ１１の開動作中に本発光する。」（第６頁左上欄第６行乃至第１４行）との記載がある。
（請求項１に係る発明についての対比・判断）
　本件請求項１に係る発明と第１及び２引用例に記載の発明とを対比すると、後者は、前者の構成の一部である「上記ストロボ・アダプタ装着検知手段が、上記ストロボ・アダプタが上記カメラに装着されることにより相互に接続される上記カメラ側の抵抗回路と上記ストロボ・アダプタ側の抵抗回路とから構成される抵抗分圧回路、および上記抵抗分圧回路に所定の標準電圧を印加する安定化電源回路を備え、上記抵抗分圧回路の分圧電圧にもとづいて、上記ストロボ・アダプタの装着の有無を検知する」点を有さない。
　本件請求項１に係る発明は、この構成を有することによって、「比較的正確にストロボ・アダプタの装着の有無を検知できる。」という作用効果が期待できるものであるから、前者が、後者に記載された発明であるとも、後者に記載された発明に基づいて、当業者が容易に推考することができたものともいえない。
（請求項２に係る発明についての対比・判断）
　本件請求項２に係る発明と第１及び２引用例に記載の発明とを対比すると、後者は、前者の構成の一部である「上記ストロボ・アダプタ装着検知手段が、上記ストロボ・アダプタが上記カメラに装着されることにより相互に接続される上記カメラ側の抵抗回路と上記ストロボ・アダプタ側の抵抗回路とから構成される抵抗分圧回路、および上記抵抗分圧回路に所定の標準電圧を印加する安定化電源回路を備え、上記抵抗分圧回路の分圧電圧にもとづいて、上記ストロボ・アダプタの装着の有無を検知する」点を有さない。
　本件請求項２に係る発明は、この構成を有することによって、「比較的正確にストロボ・アダプタの装着の有無を検知できる。」という作用効果が期待できるものであるから、前者が、後者に記載された発明であるとも、後者に記載された発明に基づいて、当業者が容易に推考することができたものともいえない。
（請求項３に係る発明についての対比・判断）
　本件請求項３に係る発明と第１及び２引用例に記載の発明とを対比すると、後者は、前者の構成の一部である「上記ストロボ・アダプタが上記カメラに装着されることにより相互に接続される上記カメラ側の抵抗回路と上記ストロボ・アダプタ側の抵抗回路とから構成される抵抗分圧回路、および上記抵抗分圧回路に所定の標準電圧を印加する安定化電源回路を設け、上記抵抗分圧回路の分圧電圧にもとづいて、上記ストロボ・アダプタの装着の有無を検知する」点を有さない。
　本件請求項３に係る発明は、この構成を有することによって、「比較的正確にストロボ・アダプタの装着の有無を検知できる。」という作用効果が期待できるものであるから、前者が、後者に記載された発明であるとも、後者に記載された発明に基づいて、当業者が容易に推考することができたものともいえない。
　したがって、本件請求項１〜３に係る発明は特許出願の際独立して特許を受けることができない発明とすることはできない。
（ｖ）むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用する第１２６条第２−４項の規定に適合するので、当該訂正を認める。
（３）特許異議の申立てについての判断
ア.申立ての理由の概要
　申立人石川　知寿は、証拠として甲第１号証（特開昭６０−１９２９２８号公報、上記第１刊行物に同じ）及び甲第２号証（特開平３−２７１７２９号公報、上記第２刊行物に同じ）を提出し、訂正前の請求項１〜３に係る発明は、特許法第２９条第１項第３号の規定に違反してなされたものであるから、特許を取り消すべき旨主張し、また、請求項１〜３に係る発明は、特許法第２９条第２項の規定に違反してなされたものであるから、特許を取り消すべき旨主張している。
イ.判断
〔本件請求項１〜３に係る発明〕
　　本件請求項１〜３に係る発明は、上記（２）（ｉｖ）で示したように、取消理由通知で示した各引用例に記載された発明と同一であるとも、それらから容易に発明をすることができたものとすることができない。
ウ.むすび
　以上のとおりであるから、特許異議申立の理由及び証拠によっては、本件請求項１〜３に係る発明の特許を取り消すことはできない。
　また、他に本件請求項１〜３に係る発明の特許を取り消すべき理由を発見しない。
　よって、結論のとおり決定する。
【異議決定日】
平成１２年６月２１日（２０００．６．２１）
【訂正の要旨】
　　　訂正の要旨
特許請求の範囲の減縮を目的として、下記（１）〜（３）のように特許請求の範囲を訂正する。また、特許請求の範囲の訂正に応じて、発明の詳細な説明についても、適合性を持たせるために下記（４）のように訂正する。
（１）特許請求の範囲の請求項１を次のとおり訂正する。
　「【請求項１】ストロボ発光条件下においてシャッタ・レリーズ・ボタンの押下に応答してストロボ発光するカメラ・ストロボを有するカメラ、およびストロボ発光設定下においてカメラのシャッタ・レリーズ・ボタンの押下に応答してストロボ発光するアダプタ・ストロボを有するストロボ・アダプタから構成され、上記カメラが、カメラに上記ストロボ・アダプタが装着されているかどうかを検知するストロボ・アダプタ装着検知手段、上記アダプタ・ストロボがストロボ発光設定下にあるかどうかを検知するストロボ発光設定状況検知手段、ならびに上記ストロボ・アダプタ装着検知手段による上記ストロボ・アダプタの装着の検知および上記ストロボ発光設定状況検知手段による上記アダプタ・ストロボのストロボ発光の設定の検知に応答して、ストロボ発光条件下において、上記カメラ・ストロボの発光光量を、上記ストロボ・アダプタの未装着または上記アダプタ・ストロボのストロボ発光設定の未設定のときに比べて減光するように上記カメラ・ストロボを制御するストロボ制御手段、を備えたカメラ・システムにおいて、上記ストロボ・アダプタ装着検知手段が、上記ストロボ・アダプタが上記カメラに装着されることにより相互に接続される上記カメラ側の抵抗回路と上記ストロボ・アダプタ側の抵抗回路とから構成される抵抗分圧回路、および上記抵抗分圧回路に所定の標準電圧を印可する安定化電源回路を備え、上記抵抗分圧回路の分圧電圧にもとづいて、上記ストロボ・アダプタの装着の有無を検知する、カメラ・システム。」
（２）特許請求の範囲の請求項２を次のとおり訂正する。
　「【請求項２】ストロボ発光条件下においてシャッタ・レリーズ・ボタンの押下に応答してストロボ発光するカメラ・ストロボ、ストロボ発光設定下においてカメラのシャッタ・レリーズ・ボタンの押下に応答してストロボ発光するアダプタ・ストロボを備えたストロボ・アダプタが装着されているかどうかを検知するストロボ・アダプタ装着検知手段、上記アダプタ・ストロボがストロボ発光設定下にあるかどうかを検知するストロボ発光設定状況検知手段、ならびに上記ストロボ・アダプタ装着検知手段による上記ストロボ・アダプタの装着の検知および上記ストロボ発光設定状況検知手段による上記アダプタ・ストロボのストロボ発光の設定の検知に応答して、ストロボ発光条件下において、上記カメラ・ストロボの発光光量を、上記ストロボ・アダプタの未装着または上記アダプタ・ストロボのストロボ発光設定の未設定のときに比べて減光するように上記カメラ・ストロボを制御するストロボ制御手段、を備えたカメラにおいて、上記ストロボ・アダプタ装着検知手段が、上記ストロボ・アダプタが上記カメラに装着されることにより相互に接続される上記カメラ側の抵抗回路と上記ストロボ・アダプタ側の抵抗回路とから構成される抵抗分圧回路、および上記抵抗分圧回路に所定の標準電圧を印可する安定化電源回路を備え、上記抵抗分圧回路の分圧電圧にもとづいて、上記ストロボ・アダプタの装着の有無を検知する、カメラ。」
（３）特許請求の範囲の請求項３を次のとおり訂正する。
　「【請求項３】ストロボ発光条件下においてシャッタ・レリーズ・ボタンの押下に応答してストロボ発光するカメラ・ストロボを有するカメラにおいて、ストロボ発光設定下においてカメラのシャッタ・レリーズ・ボタンの押下に応答してストロボ発光するアダプタ・ストロボを備えたストロボ・アダプタが装着されているかどうかを検知し、上記アダプタ・ストロボがストロボ発光設定下にあるかどうかを検知し、上記ストロボ・アダプタの装着の検知および上記アダプタ・ストロボのストロボ発光の設定の検知に応答して、ストロボ発光条件下において上記カメラ・ストロボの発光光量を、上記ストロボ・アダプタの未装着または上記アダプタ・ストロボのストロボ発光設定の未設定のときに比べて減光するように上記カメラ・ストロボを制御する、カメラの制御方法において、上記ストロボ・アダプタが上記カメラに装着されることにより相互に接続される上記カメラ側の抵抗回路と上記ストロボ・アダプタ側の抵抗回路とから構成される抵抗分圧回路、および上記抵抗分圧回路に所定の標準電圧を印可する安定化電源回路を設け、上記抵抗分圧回路の分圧電圧にもとづいて、上記ストロボ・アダプタの装着の有無を検知する、カメラの制御方法。」
（４）明細書中の段落【０００６】（特許掲載公報第４欄第１６行乃至第１７行）の「上記カメラ・ストロボを制御するストロボ制御手段を備えている。」を「上記カメラ・ストロボを制御するストロボ制御手段を備えており、上記ストロボ・アダプタ装着検知手段は、上記ストロボ・アダプタが上記カメラに装着されることにより相互に接続される上記カメラ側の抵抗回路と上記ストロボ・アダプタ側の抵抗回路とから構成される抵抗分圧回路、および上記抵抗分圧回路に所定の標準電圧を印可する安定化電源回路を備え、上記抵抗分圧回路の分圧電圧にもとづいて、上記ストロボ・アダプタの装着の有無を検知することを特徴とする。」と訂正する。
（５４）【発明の名称】
カメラ・システムならびにアダプタが装着自在なカメラおよびその制御方法
（５７）【特許請求の範囲】
　【請求項１】　ストロボ発光条件下においてシャッタ・レリーズ・ボタンの押下に応答してストロボ発光するカメラ・ストロボを有するカメラ，および
　ストロボ発光設定下においてカメラのシャッタ・レリーズ・ボタンの押下に応答してストロボ発光するアダプタ・ストロボを有するストロボ・アダプタから構成され，
　上記カメラが，
　カメラに上記ストロボ・アダプタが装着されているかどうかを検知するストロボ・アダプタ装着検知手段，
　上記アダプタ・ストロボがストロボ発光設定下にあるかどうかを検知するストロボ発光設定状況検知手段，ならびに
　上記ストロボ・アダプタ装着検知手段による上記ストロボ・アダプタの装着の検知および上記ストロボ発光設定状況検知手段による上記アダプタ・ストロボのストロボ発光の設定の検知に応答して，ストロボ発光条件下において，上記カメラ・ストロボの発光光量を，上記ストロボ・アダプタの未装着または上記アダプタ・ストロボのストロボ発光設定の未設定のときに比べて減光するように上記カメラ・ストロボを制御するストロボ制御手段，
　
を備えたカメラ・システムにおいて，
　
上記ストロボ・アダプタ装着検知手段が，
　
上記ストロボ・アダプタが上記カメラに装着されることにより相互に接続される上記カメラ側の抵抗回路と上記ストロボ・アダプタ側の抵抗回路とから構成される抵抗分圧回路，および
　
上記抵抗分圧回路に所定の標準電圧を印加する安定化電源回路を備え，
　
上記抵抗分圧回路の分圧電圧にもとづいて，上記ストロボ・アダプタの装着の有無を検知する，
　カメラ・システム。
　【請求項２】　ストロボ発光条件下においてシャッタ・レリーズ・ボタンの押下に応答してストロボ発光するカメラ・ストロボ，
　ストロボ発光設定下においてカメラのシャッタ・レリーズ・ボタンの押下に応答してストロボ発光するアダプタ・ストロボを備えたストロボ・アダプタが装着されているかどうかを検知するストロボ・アダプタ装着検知手段，
　上記アダプタ・ストロボがストロボ発光設定下にあるかどうかを検知するストロボ発光状況検知手段，ならびに
　上記ストロボ・アダプタ装着検知手段による上記ストロボ・アダプタの装着の検知および上記ストロボ発光設定状況検知手段による上記アダプタ・ストロボのストロボ発光の設定の検知に応答して，ストロボ発光条件下において上記カメラ・ストロボの発光光量を，上記ストロボ・アダプタの未装着または上記アダプタ・ストロボのストロボ発光設定の未設定のときに比べて減光するように上記カメラ・ストロボを制御するストロボ制御手段，
　
を備えたカメラにおいて，
　
上記ストロボ・アダプタ装着検知手段が，
　
上記ストロボ・アダプタが上記カメラに装着されることにより相互に接続される上記カメラ側の抵抗回路と上記ストロボ・アダプタ側の抵抗回路とから構成される抵抗分圧回路，および
　
上記抵抗分圧回路に所定の標準電圧を印加する安定化電源回路を備え，
上記抵抗分圧回路の分圧電圧にもとづいて，上記ストロボ・アダプタの装着の有無を検知する，
　カメラ。
　【請求項３】　ストロボ発光条件下においてシャッタ・レリーズ・ボタンの押下に応答してストロボ発光するカメラ・ストロボを有するカメラにおいて，
　ストロボ発光設定下においてカメラのシャツタ・レリーズ・ボタンの押下に応答してストロボ発光するアダプタ・ストロボを備えたストロボ・アダプタが装着されているかどうかを検知し，
　上記アダプタ・ストロボがストロボ発光設定下にあるかどうかを検知し，
　上記ストロボ・アダプタの装着の検知および上記アダプタ・ストロボのストロボ発光の設定の検知に応答して，ストロボ発光条件下において上記カメラ・ストロボの発光光量を，上記ストロボ・アダプタの未装着または上記アダプタ・ストロボのストロボ発光設定の未設定のときに比べて減光するように上記カメラ・ストロボを制御する，
　
カメラの制御方法において，
　
上記ストロボ・アダプタが上記カメラに装着されることにより相互に接続される上記カメラ側の抵抗回路と上記ストロボ・アダプタ側の抵抗回路とから構成される抵抗分圧回路，および上記抵抗分圧回路に所定の標準電圧を印加する安定化電源回路を設け，
　
上記抵抗分圧回路の分圧電圧にもとづいて，上記ストロボ・アダプタの装着の有無を検知する，
　カメラの制御方法。
【発明の詳細な説明】
　　　【０００１】
　【技術分野】
　この発明は，ストロボ撮影機能をもつカメラおよびその制御方法ならびにカメラとカメラに着脱自在なストロボ・アダプタとからなるカメラ・システムに関する。
　　　【０００２】
　【背景技術】
　被写体が暗いときにはストロボ撮影が行なわれる。カメラに設けられているストロボ装置は一般的に被写体が存在することが多い２ｍ程度の位置を照射するように設定されている。このため至近距離撮影を行なう場合に，カメラに設けられているストロボ装置を用いて撮影を行なうと至近距離に存在する被写体が適正な光量で照射されず露光不足となることがある。したがってアダプタ・ストロボとして着脱自在なストロボ装置をカメラに取付け，露光不足を防ぐようにするものもある。
　　　【０００３】
　しかしながら，ストロボ装置をカメラに取付け至近距離のストロボ撮影を行なった場合には，アダプタに設けられたストロボ装置によるストロボ光とカメラに設けられているストロボ装置のストロボ光の一部が被写体に照射される。このため露光オーバとなり適正な撮影ができないことがある。
　　　【０００４】
　【発明の開示】
　この発明は，ストロボ装置を備えたアダプタをカメラに取付けて撮影をした場合に露光オーバとなることを防ぐようにすることを目的とする。
　　　【０００５】
　この発明のカメラ・システムは，ストロボ発光条件下においてシャッタ・レリーズ・ボタンの押下に応答してストロボ発光するカメラ・ストロボを有するカメラ，およびストロボ発光設定下においてカメラのシャッタ・レリーズ・ボタンの押下に応答してストロボ発光するアダプタ・ストロボを有するストロボ・アダプタから構成される。
　　　【０００６】
　上記カメラは，カメラに上記ストロボ・アダプタが装着されているかどうかを検知するストロボ・アダプタ装着検知手段，上記アダプタ・ストロボがストロボ発光設定下にあるかどうかを検知するストロボ発光設定状況検知手段，ならびに上記ストロボ・アダプタ装着検知手段による上記ストロボ・アダプタの装着の検知および上記ストロボ発光設定状況検知手段による上記アダプタ・ストロボのストロボ発光の設定の検知に応答して，ストロボ発光条件下において，上記カメラ・ストロボの発光光量を，上記ストロボ・アダプタの未装着または上記アダプタ・ストロボのストロボ発光設定の未設定のときに比べて減光するように上記カメラ・ストロボを制御するストロボ制御手段を備えて
おり，上記ストロボ・アダプタ装着検知手段は上記ストロボ・アダプタが上記カメラに装着されることにより相互に接続される上記カメラ側の抵抗回路と上記ストロボ・アダプタ側の抵抗回路とから構成される抵抗分圧回路，および上記抵抗分圧回路に所定の標準電圧を印加する安定化電源回路を備え　上記抵抗分圧回路の分圧電圧にもとづいて，上記ストロボ・アダプタの装着の有無を検知することを特徴とする。
　　　【０００７】
　この発明によると，カメラにストロボ・アダプタが装着されているかどうか，アダプタ・ストロボがストロボ発光下に設定されているかどうかが検知される。カメラにストロボ・アダプタが装着されており，かつアダプタ・ストロボがストロボ発光下に設定されていると，カメラにストロボ・アダプタが装着されていないときまたはアダプタ・ストロボのストロボ発光設定がされていないときに比べてカメラ・ストロボの発光光量が減光される。
　　　【０００８】
　カメラ・ストロボのほかにアダプタ・ストロボが発光するときには，アダプタ・ストロボが発光しないときに比べてカメラ・ストロボの発光光量が減光される。したがってカメラ・ストロボのストロボ光とアダプタ・ストロボのストロボ光とが被写体を照らしても露光オーバとなることを防止できる。
　　　【０００９】
　またこの発明は上記カメラ・システムを構成するカメラおよびそのようなカメラの制御方法も提供している。
　　　【００１０】
　【実施例の説明】
　図１はカメラとこれに装着されたストロボ・アダプタとの外観を示すものである。図２から図４はストロボ・アダプタを示すもので，図２は平面図，図３は正面図，図４は側面図である。
　　　【００１１】
　カメラ１はいかなる種類のもの，たとえばフィルムを光化学的に感光して被写体像をフィルムに固定する通常のカメラ，固体電子撮像素子（たとえばＣＣＤ）を用い，この固体電子撮像素子から出力される被写体像を表わす映像信号を磁気的または電子的に固定する（フロッピィ・ディスクに記録するまたはメモリに記憶する）スチル・ビデオ・カメラであってもよい。この実施例では被写体像を表わす映像信号をディジタル画像データに変換しかつデータ圧縮したのちに半導体メモリ（内蔵メモリまたは着脱自在なカード状メモリ）に記憶するディジタル・スチル・カメラが示されている。
　　　【００１２】
　主に図１を参照して，カメラ１はシャッタ・レリーズ・ボタン１１を備えている。シャッタ・レリーズ・ボタン１１は２段ストローク・タイプのもので，２つのスイッチＳＷ１，ＳＷ２を有している。ボタン１１の第１段階の押下でスイッチＳＷ１がオンとなり，スイッチＳＷ１のオン信号に応答して後に詳述する撮影の準備のための各種動作が開始される。ボタン１１がさらに押され，第２段階に達するとスイッチＳＷ２がオンとなり，スイッチＳＷ２のオン信号に応答して撮影動作が開始される。
　　　【００１３】
　カメラ１にはまた，テレ，ワイド設定ボタン１２Ａ，１２Ｂ，ストロボ強制撮影設定ボタン，時刻設定ボタン，再生モード設定ボタン，圧縮率設定ボタン等を含む設定部１３，設定部１３の各種ボタンを用いて設定された状態を表示する表示部１４が設けられている。
　　　【００１４】
　カメラ１はその前面に撮像レンズ系１７，ファインダ１８（図２参照）および測距窓１５を備えている。測距窓１５内には測距用の光を発光する発光ダイオード（ＬＥＤ），その被写体からの反射光を受光する受光素子（ＬＥＤと受光素子で測距センサを構成する）等が設けられている。カメラ１０は測距センサによって得られた距離情報にしたがって自動合焦制御動作を行うことができる。
　　　【００１５】
　カメラ１はさらにストロボ回路とその発光部１６を有している。ストロボ・アダプタのストロボ回路に対して，カメラのストロボ回路をとくに内蔵ストロボ回路（図５ならびに図７参照）ということにする。ストロボ発光部１６は起伏自在であり，使用しないときには撮像レンズ１７およびファインダ１８を覆うように倒れ，そのカバーとなる。
　　　【００１６】
　主に図２から図４を参照して，ストロボ・アダプタ３０は平面からみてＬ字形に構成された第１の部分３０Ａと第２の部分３０Ｂとを有している。これらの部分３０Ａと３０Ｂは折曲自在に連結されており，第２の部分３０Ｂを第１の部分３０Ａに沿わせるように折りたたむことができる。
　　　【００１７】
　ストロボ・アダプタ３０には取付用ねじ２３が設けられている。このねじ２３のつまみ２３Ａを回すことにより，ねじ２３の先端部がカメラ１０の側面に形成されためねじ１９にねじ嵌められ，アダプタ３０がカメラ１０に取付け固定される。
　　　【００１８】
　ストロボ・アダプタ３０の第１の部分３０Ａにはまた，Ｘ接点２１を構成する突起２１Ｂおよびグランド接点（以下，Ｇ接点という）２２を構成する突起２２Ｂが設けられている。これらの突起２１Ｂおよび２２Ｂは進退自在であり，常時はばねにより外方に向って付勢されている。これらの突起２１Ｂ，２２Ｂに対応してカメラ１０の側面には凹部または穴２１Ａ，２２Ａが形成されている。アダプタ３０がカメラ１０に取付けられると，突起２１Ｂが穴２１Ａに入り，突起２２Ｂが穴２２Ａに入る。突起２１Ｂ，２２Ｂはともに導電性材料により形成され，穴２１Ａ，２２Ａの内面にも導電性材料が設けられているので，突起２１Ｂと穴２１Ａとの接触によりＸ接点２１の電気的接続が，突起２２Ｂと穴２２Ａとの接触によりＧ接点２２の電気的接続がそれぞれ達成される。
　　　【００１９】
　ストロボ・アダプタ３０は，この実施例では，ストロボ発光の機能とともに至近距離撮影（接写）のためのレンズ機能をもっている。したがって，このアダプタ３０をレンズ・アダプタということもできる。上述したようにアダプタ３０が装着されていない状態では，カメラ１０は測距センサから得られる距離情報に基づいて合焦制御を行う。ところが，５０ｃｍ程度以下の至近距離撮影では測距センサの光軸と，撮像レンズ系１７（およびファインダ１８）の光軸とのパララックスが大きくなり，測距センサの距離情報が被写体までの距離を正しく表わしているとは限らなくなる。
　　　【００２０】
　そこで，アダプタ３０には距離設定スイッチ３２が設けられている。この設定スイッチ３２を用いて，この実施例では至近距離の範囲内に次の２段階の距離が設定される。
　　　比較的近距離（たとえば２５〜３５ｃｍ）　　スイッチＳＷＡ
　　　比較的遠距離（たとえば３５〜４５ｃｍ）　　スイッチＳＷＢ
スイッチ３２はユーザによって操作され，比較的近距離が設定されたときにスイッチ（または接点）ＳＷＡがオンとなり，比較的遠距離が設定されたときにスイッチ（または接点）ＳＷＢがオンとなる。
　　　【００２１】
　この距離設定スイッチ３２によって設定された距離に応じてストロボ・アダプタ３０におけるストロボ発光量およびストロボ光の照射方向が調整される。また，距離設定スイッチ３２によって設定された距離情報は後述するようにＸ接点を通してカメラ１０に伝達され，カメラ１０はこの距離情報に基づいて合焦制御を行う。もっとも測距センサによって得られた距離データにもとづいて合焦制御を行なうようにしてもよい。
　　　【００２２】
　アダプタ３０の第１の部分３０Ａにはさらに，ストロボ発光を行なわせるかどうかを設定するストロボ・スイッチ３１，およびストロボ充電が完了したときに点灯する充電完了表示灯３３が設けられている。もっとも，カメラに装着されたときには常にストロボ発光するアダプタの場合などにはストロボ・スイッチ３１は必ずしも必要ではない。
　　　【００２３】
　アダプタ３０の第２の部分３０Ｂには，アダプタ・ストロボの発光部３６，レンズ３７を内蔵した撮影用窓３７Ａおよびファインダ３８が設けられている。ストロボ・アダプタ３０がカメラ１０に装着されたときに，カメラ１０のレンズ１７の光軸とアダプタ３０のレンズ３７の光軸が，カメラ１０のファインダ１８の光軸とアダプタ３０のファインダ３８の光軸がそれぞれ一致する。
　　　【００２４】
　以下に詳述するように，Ｘ接点２１およびＧ接点２２を通して次のような情報が伝達される。
　　カメラ１０からアダプタ３０へ：　ストロボ発光信号ＸＯＮ
　　アダプタ３０からカメラ１０へ：　アダプタの装着の有無
　　　　　　　　　　　　　　　　　　ストロボ・スイッチ３１のオン，オフ状態
　　　　　　　　　　　　　　　　距離設定スイヅチ３２で設定された距離情報
　　　　　　　　　　　　　　　　充電完了の有無
　　　【００２５】
　図５はカメラの電気的構成を示すブロック図である。図６はカメラの内蔵ストロボの電気的構成を示している。
　　　【００２６】
　撮像光学系には，絞り２，撮像レンズ１７，および固体電子撮像素子（イメージ・センサ）としてのＣＣＤ３が含まれる。必要ならば機械的シャッタが設けられるが，一般的にはシャッタ機能はＣＣＤ３の制御によって実現される電子シャッタによって達成される。撮像レンズ１７は被写体像をＣＣＤ３に結像させるもので，ＣＰＵ４０によって制御される撮像レンズ駆動装置２５によって移動され合焦位置に位置決めされる。
　　　【００２７】
　シャッタ・レリーズ・ボタン１１，テレ，ワイド設定ボタン１２Ａ，１２Ｂ，および設定部１３の各設定を示す信号はそれぞれＣＰＵ４０に入力する。
　　　【００２８】
　ディジタル・スチル・カメラには予備測光のために測光センサ２６が設けられており，測光データはＣＰＵ４０に与えられる。ＣＰＵ４０は測光センサ２６から得られる測光データに基づいて，絞り値およびシャッタ速度の少なくとも一方を制御することにより，ＣＣＤ３への露光量がほぼ妥当な範囲内に入るようにする。
　　　【００２９】
　このような予備測光に基づく概略的な露光量調整ののちに，予備撮影が行なわれる。この予備撮影によってＣＣＤ３から得られる映像信号を利用して測光値の算出と精密な露光制御が行なわれることになる。これらの高精度の露光制御については後に詳述する。
　　　【００３０】
　ディジタル・スチル・カメラには上述の発光ダイオードと受光素子とから構成される測距センサ２７が設けられており，被写体までの距離を表わす測距データはＣＰＵ４０に与えられる。ＣＰＵ４０はまた測距センサ２７からの測距データにもとづいて撮像レンズ駆動装置２５を介して撮像レンズ１７を合焦位置に位置決めする。ＣＰＵ４０はさらに被写体までの距離および絞り値にもとづいて内蔵ストロボ５０の発光量を定める。
　　　【００３１】
　ストロボ・アダプタ３０のストロボ発光部３６が発光するときとストロボ発光部３６が発光しないときとでは被写体までの距離が同じであっても，内蔵ストロボ５０の発光量は異なる。カメラ１にストロボ・アダプタ３０が取付けられており，かつストロボ・スイッチ３１によってストロボ発光部３６の発光が設定されているときの内蔵ストロボ５０の発光量は，カメラ１にストロボ・アダプタ３０が取付けられていず，またはストロボ・スイッチ３１によってストロボ３６の発光が設定されていないときのストロボ５０の発光量に比べて減少するようにＣＰＵ４０によって制御される。
　　　【００３２】
　内蔵ストロボ５０の発光制御のためにアンド・ゲート４３およびトランジスタＴＲ１が接続されている。ＣＰＵ４０から内蔵ストロボ５０の発光制御信号Ｘｏｎと発光準備完了信号ＸＥＮが出力されアンド・ゲート４３に与えられる。発光準備完了信号ＸＥＮが出力されているときに発光制御信号Ｘｏｎが出力されると，アンド・ゲート４３の出力がＨレベルとなりトランジスタＴＲ１が導通状態となり発光制御信号が内蔵ストロボ５０に与えられる。内蔵ストロボ５０が動作するのはその充電回路の充電が完了していることが必要であるのはいうまでもない。
　　　【００３３】
　図６を参照してカメラ１のストロボ装置は，発光部（放電管）１６と，発光部１６に与える電荷を充電するための充電回路６０と，ストロボ発光光量を制御するための発光光量制御回路５１と，発光部１６の発光を停止するための停止回路６６とを備えている。
　　　【００３４】
　電源６１の電圧は昇圧回路６２によって昇圧され，主コンデンサ６３に充電される。主コンデンサ６３の充電電圧は適当な減圧回路または電圧検知回路を経てＣＰＵ４０のＡ／Ｄポートに与えられることにより検出される。これによりＣＰＵ４０は主コンデンサ６３への充電完了を知ることができる。
　　　【００３５】
　ＣＰＵ４０は主コンデンサ６３の充電電圧を検出することができるので，発光部１６の発光前の主コンデンサ６３の充電電圧と発光部１６の発光後の主コンデンサ６３の充電電圧とをそれぞれ検出し，これらの電圧差より発光部１６の発光光量を算出することもできる。
　　　【００３６】
　ストロボ発光はトリガ回路６４にストロボ制御信号が与えられることにより行なわれる。トリガ回路６４にＣＰＵ４０からのストロボ発光指令Ｘオンが与えられることによりトリガ回路６４が駆動し，主コンデンサ６３に蓄えられた電荷が発光部１６を通して放電し，ストロボ発光が始まる。
　　　【００３７】
　ストロボ発光光量は被写体までの距離に応じて定められる。被写体までの距離に応じて定められるストロボ発光量となるように，ＣＰＵ４０によって発光光量データが作成される。発光光量制御回路５１には，Ｄ／Ａ変換器５２Ａを含む電子ボリュウム回路（ＥＶＲ）５２が含まれており，ＣＰＵ４０から出力される発光光量データがＥＶＲ５２に与えられ電圧に変換されて出力される。また停止回路６０に停止信号を与えるための差動増幅回路５７が含まれている。
　　　【００３８】
　さらに発光光量制御回路５１には基準電源５３およびコンデンサ５５が含まれている。コンデンサ５５にはＥＶＲ５２の出力電圧が抵抗５４を介して与えられる。コンデンサ５５の電荷を放電するためのスイッチ５６も設けられている。差動増幅回路５７の負入力端子には基準電源回路５３から出力される基準電圧が与えられ，差動増幅回路５７の正入力端子にはコンデンサ５５の端子電圧が与えられる。
　　　【００３９】
　スイッチ５６は通常オンとされており，ＣＰＵ４０のストロボ発光制御信号が与えられることによりオフとなる。スイッチ５６がオフとなることにより，ＥＶＲ５２から出力される電圧にもとづいてコンデンサ５５への充電が開始される。
　　　【００４０】
　ＥＶＲ５２から電圧が出力され，スイッチ５６がオンとなるとコンデンサ５５に所定の電荷が蓄積される。コンデンサ５５の端子電圧が基準電源５３から出力される基準電圧と等しくなると差動増幅回路５７から停止信号が出力され停止回路６６に与えられ発光部１６の発光が停止する。
　　　【００４１】
　ＣＣＤ３では，基板抜きパルス，Ａフィールド垂直転送パルス，Ｂフィールド垂直転送パルスおよび水平転送パルスによって，インターレース撮影が行なわれ，ＡフィールドとＢフィールドの映像信号（ＧＲＧＢの色順次信号）が１フィールド期間ごとに交互に生成されて，順次読み出される。ＣＣＤ３の駆動（撮像および映像信号の読出し）は，少なくとも撮影時と，それに先だつ精密な測光処理および測距処理のために行なわれる。
　　　【００４２】
　ＣＣＤ３から出力される被写体像を表わすＡフィールドおよびＢフィールドの映像信号は，相関二重サンプリング回路（ＣＤＳ）４を通して色分離回路５に与えられ，３原色，Ｇ（緑），Ｒ（赤）およびＢ（青）の色信号に分離される。
　　　【００４３】
　この色信号Ｇ，Ｒ，Ｂは可変利得増幅回路（以下，ＧＣＡという）６に与えられる。図１にはＧＣＡ６として１個のブロックが示されているが，実際にはＧＣＡはＲ，Ｇ，Ｂのそれぞれの信号について設けられる。このＧＣＡ６において，ＣＣＤ３に設けられた色フィルタにおける光透過率のフィルタの色間のばらつきの補正（以下，色フィルタぱらつき補正という）およびホワイト・バランス調整が行なわれた後，ガンマ補正回路７に与えられる。
　　　【００４４】
　ＧＣＡ６の出力色信号Ｒ，Ｇ，Ｂは，ガンマ補正回路７で階調補正が行なわれて，クランプおよびリサンプリング回路８に入力する。
　　　【００４５】
　クランプおよびリサンプリング回路８は，３つの色信号Ｒ，Ｇ，Ｂをクランプし，かつリサンプリングによってＣＣＤ３における色フィルタ配置に一致したＧＲＧＢ…の色順次信号に再変換する。この色順次信号はゲイン・コントロールおよびブランキング回路９に入力する。ゲイン・コントロールおよびブランキング回路９は，色順次信号を記録のために適当なレベルに増幅するとともにこれにブランキング信号を加える。ゲイン・コントロールおよびブランキング回路９の出力信号はＡ／Ｄ変換器１０に与えられることによりディジタル変換される。
　　　【００４６】
　本撮影に先だち上述したように精密な測光処理（露光制御）が行なわれる。測光処理は予備撮影によってＣＣＤ３から得られる映像信号の低周波成分を利用して行なわれる。
　　　【００４７】
　測光処理のために，ＣＣＤ３の撮影領域内に設けられた測光領域（後述する）内の画像を表わす映像信号の低周波成分を取出すために，ＹＬ合成回路８１，ゲート回路８２，積分回路８３，増幅回路８４およびＡ／Ｄ変換器８５が設けられている。Ａ／Ｄ変換器８５の出力デ一夕がＣＰＵ４０に与えられる。
　　　【００４８】
　測光処理，それに基づく露光制御（絞りやシャッタの制御），および合焦制御（撮像レンズ１７の位置決め）の後に本撮影が行なわれる。本撮影によりＣＣＤ３から得られる映像信号が上述した回路４，５，６，７，８および９を経てＡ／Ｄ変換器１０に入力し，このＡ／Ｄ変換器１０でディジタル画像データに変換され，画像データ処理回路（図示略）でＹ／Ｃ分離，データ圧縮等の加工が加えられたのち，メモリ・カード等の記録媒体に記録されることになる。
　　　【００４９】
　本撮影に先だつ測光処理（およびそれに基づく露光制御）について説明する。
　　　【００５０】
　測光処理は上述のようにＹＬ合成回路８１，ゲート回路８２，積分回路８３および増幅回路８４を用いて行なわれる。ＹＬ合成回路８１にはＧＣＡ６の出力色信号Ｒ，Ｇ，Ｂが与えられている。
　　　【００５１】
　ＣＰＵ４０はゲート回路８２を制御するウインドウ信号ＷＩＮＤ１および積分回路８３をリセットするリセット信号ＨＬＲＳＴ１を出力する。これらの信号ＷＩＮＤおよびＨＬＲＳＴのタイミングについては後述する。
　　　【００５２】
　ＧＣＡ６から出力される色信号Ｒ，ＧおよびＢはＹＬ合成回路８１で加算され，相対的に低周波の輝度信号ＹＬ（以下単に輝度信号ＹＬという）が生成される。この輝度信号ＹＬは，所要の水平走査期間においてウインドウ信号ＷＩＮＤ１が与えられている期間ゲート回路８２を通過する。積分回路８３はリセット信号ＨＬＲＳＴ１が与えられたときにリセットされ，その後ゲート回路８２から入力する輝度信号ＹＬを積分する。積分回路８３の積分信号は増幅回路８４で増幅されたのちＡ／Ｄ変換器８５に入力し，このＡ／Ｄ変換器８５によって測光用ディジタル積分データに変換される。この測光用ディジタル積分データがＣＰＵ４０に与えられ，露光制御が行なわれる。
　　　【００５３】
　図７はカメラ１とストロボ・アダプタ３０との間の情報の伝達に適した電気的構成の一例を示している。図７においては情報の伝達に必要な回路のみが示されており，図５に示すような撮影に必要な一般的な回路は省略されている。
　　　【００５４】
　カメラ１のＣＰＵ４０は，この実施例では，Ａ／Ｄ変換部を内蔵し，後述する抵抗分圧回路の分圧電圧（入力電圧）ＶｉｎがＡ／Ｄ変換部によってディジタル・データに変換されてＣＰＵ４０に取込まれる。ＣＰＵ４０は入力電圧Ｖｉｎのディジタル・データに基づいてストロボ・アダプタ３０の状態（装着の有無を含む）を判定し，この判定結果に基づいて撮影のための各種の制御を行う。Ａ／Ｄ変換回路をＣＰＵ４０の外側に接続してもよいのはいうまでもない。ＣＰＵ４０には時計４６から１秒ごとにクロック信号が入力する。
　　　【００５５】
　抵抗分圧回路はカメラ側の抵抗回路とアダプタ側の抵抗回路とから構成される。カメラ側の抵抗回路とアダプタ側の抵抗回路とは，アダプタ３０がカメラ１に装着されたときにＸ接点（突起２１Ｂおよび穴２１Ａ）ならびにＧ接点（突起２２Ｂおよび穴２２Ａ）によって相互に接続される。
　　　【００５６】
　カメラ側において，抵抗分圧回路に所定の標準電圧Ｖｏ（たとえば５Ｖ）を印加するために，安定化電源回路４１が設けられている。この安定化電源回路４１の出力は，シャッタ・レリーズ・ボタン１１の第１段階のスイッチＳＷ１（またはこのスイッチＳＷ１に連動する接点もしくはスイッチＳＷ１と同じ動作を行うように制御される半導体スイッチング素子），および第１の抵抗Ｒ１と第２の抵抗Ｒ２との直列接続回路を介してグランドに接続されている。抵抗Ｒ１とＲ２との接続点（これを以下，入力点という）がＣＰＵ４０のＡ／Ｄ変換部の入力に接続されている。この入力点は第３の抵抗Ｒ３を介してＸ接点２１に接続されている。
　　　【００５７】
　入力点とグランドとの間にはさらにスイッチング素子ＦＥＴ１が接続されている。このＦＥＴ１は，ＡＮＤ回路４３の出力によってオンとなるように制御される
。
　　　【００５８】
　アダプタ３０において，アダプタ側抵抗回路は第４の抵抗Ｒ４，距離設定情報発生用抵抗回路７３およびストロボ・オン／オフ情報発生用抵抗回路７１を含み，これらの抵抗Ｒ４および回路７３，７１が直列に接続されている。抵抗Ｒ４はＸ接点に，回路７１はグランドにそれぞれ接続されている。抵抗Ｒ４の両端とグランドとの間には電圧安定化用コンデンサＣ１および保護用ツェナーダイオードＺＤがそれぞれ接続されている。
　　　【００５９】
　抵抗回路７３は，第５の抵抗Ｒ５と第６の抵抗Ｒ６とが並列に接続されてなり，これらの抵抗Ｒ５，Ｒ６が距離設定スイッチ３２によって切換えられる。比較的近距離が設定されたときにはスイッチ（接点）ＳＷＡがオンとなり，抵抗Ｒ５が抵抗回路に接続される。比較的遠距離が設定されたときにはスイッチ（接点）ＳＷＢがオンとなり，抵抗Ｒ６が抵抗回路に接続される。これらのスイッチＳＷＡ，ＳＷＢは距離設定スイッチ３２のつまみのスライドに連動する接点でもよいし，半導体スイッチング素子で実現することもできる。
　　　【００６０】
　回路７１にはさらに充電完了情報発生用抵抗回路７２が含まれている。ストロボ・スイッチ３１に連動する，またはストロボ・スイッチ３１によって制御される切換スイッチ３１Ｂ（ＳＷＳという）が設けられており，このスイッチＳＷＳは，ストロボ・スイッチ３１がオフのときに回路７３をグランドに直接に接続し，ストロボ・スイッチ３１がオンのときに，回路７３とグランドとの間に，第７の抵抗Ｒ７と第８の抵抗Ｒ８の直列回路を接続する。回路７２は第８の抵抗Ｒ８とこれを短絡するスイッチング・トランジスタＴＲ２とから構成されている。トランジスタＴＲ２は通常はオフであり，ストロボ・アダプタ回路７０からＨレベルの充電完了信号が入力したときにオンとなる。スイッチＳＷＳをトランジスタで構成し，オンとなったときに抵抗Ｒ７とＲ８を短絡するように接続してもよい。
　　　【００６１】
　ストロボ・アダプタ３０はさらにバッテリィ７７（出力電圧はたとえば３Ｖ）を備えている。ストロボ・スイッチ３１がオンとなったときに，これに連動するスイッチ３１Ａ（または接点もしくは半導体スイッチング素子）（これもＳＷＳと表現する）がオンとなり，レギュレータ７６にバッテリィ７７の電圧が与えられる。レギュレータ７６の出力電圧はアダプタ・ストロボ回路７０に印加され，この回路７０に含まれている充電回路への充電が開始される。充電が完了すると上述したように充電完了信号が出力され，トランジスタＴＲ２がオンとなる。
　　　【００６２】
　ストロボ起動回路７４はコンパレータ７５を含んでいる。レギュレータ７６の出力電圧は抵抗回路により分圧され，この分圧回路Ｅ１がコンパレータ７５の負入力端子に与えられている。レギュレータ７６の出力電圧はまた他の抵抗回路により分圧され，この分圧電圧Ｅ２がコンパレータ７５の正入力端子に与えられている。Ｅ１＞Ｅ２に設定されているので，通常はコンパレータ７５の出力（起動回路７４の出力）はＬレベルである。また，電圧Ｅ１が現われる分圧点と抵抗Ｒ４との間にダイオードＤ１が，抵抗Ｒ４から上記分圧点へ電流が流入するのを阻止する方向に接続されている。ストロボ・スイッチ３１がオンである場合には，ダイオードＤ１のカソード側の電位（抵抗分圧回路の分圧電位）の方が電圧Ｅ１よりも高い（たとえばＥ１＝２Ｖである）。しかしながら，ダイオードＤ１の存在により，抵抗分圧回路からコンパレータ７５の負入力端子に電流が流入することはない。
　　　【００６３】
　後に示すように，カメラ１のＣＰＵ４０から発光信号ＸＯＮが与えられると，ＦＥＴ１がオンとなるので，Ｘ接点の電位はグランド・レベルに近くなる。このため，ダイオードＤ１のアノード側の電位（Ｅ１）の方がそのカソード側よりも高くなり，ダイオードＤ１が導通し，コンパレータ７５の負入力端子の入力電圧は低下する。これによってコンパレータ７５の出力がＨレベルに反転する。このコンパレータ７５のＨレベルの出力は発光起動信号としてストロボ回路７０に与えられ，ストロボ回路７０によって発光部３６がストロボ発光することになる。
　　　【００６４】
　カメラ１からアダプタ３０への発光信号ＸＯＮの伝達，およびアダプタ３０からカメラ１への各種情報の伝達について図８を参照して説明する。
　　　【００６５】
　図７において，具体的な電圧，抵抗の値の一例は次の通りである。
　　　安定化電源回路４１の出力電圧Ｖｏ＝５Ｖ
　　　Ｅ１＝２Ｖ
　　　Ｒ１＝５１ｋΩ
　　　Ｒ２＝２００ｋΩ
　　　Ｒ３＝１ｋΩ
　　　Ｒ４＝１ｋΩ
　　　Ｒ５＝１０ｋΩ
　　　Ｒ６＝３３ｋΩ
　　　Ｒ７＝３９ｋΩ
　　　Ｒ８＝６８ｋΩ
　　　【００６６】
　アダプタ３０の状態は分圧抵抗回路を介してＡ／Ｄ変換部の入力電圧Ｖｉｎの値として反映される。入力電圧Ｖｉｎをチェックすることによりアダプタ３０の状態の判定が可能である。Ａ／Ｄ変換部のＡ／Ｄ変換誤差，抵抗のばらつき，電圧の変動等を考慮して，図８に示すように，状態判定のためのゾーンが設定される。抵抗分圧回路にはカメラ１の安定化電源回路４１の出力標準電圧をＶｏが印加されているので，アダプタ３０のバッテリィ７７の出力変動，出力電圧低下に関係なく，電源回路４１の出力電圧Ｖｏが安定しさえずれば，常に正確な状態判定が可能である。
　　　【００６７】
　ゾーンＡ（Ｖｉｎ＝３．８Ｖ以上）
　アダプタがカメラに装着されていないと判定される。
　　　【００６８】
　入力電圧Ｖｉｎは次式で与えられる。
　　　【００６９】
　【数１】
　　Ｖｉｎ＝Ｖｏ・［Ｒ２／（Ｒ１＋Ｒ２）］　　…式１
　　　【００７０】
　ゾーンＢ（２．８３〜３．３０Ｖ）
　ストロボ・スイッチ３１（ＳＷＳ）がオンでかつストロボ充電中（充電未完了）状態と判定される（距離設定スイッチ３２（ＳＷＡ，ＳＷＢ）の状態は不問）。
　　　【００７１】
　この場合には，分圧抵抗回路は，抵抗Ｒ１，Ｒ２，Ｒ３，Ｒ４，Ｒ５またはＲ６，Ｒ７，Ｒ８により構成され，入力電圧Ｖｉｎは次式で与えられる。
　　　【００７２】
　【数２】
　　Ｖｉｎ＝Ｖｏ・［ＲＡ／（Ｒ１十ＲＡ）］
　　ＲＡ＝Ｒ２／／［Ｒ３＋Ｒ４＋（Ｒ５またはＲ６）＋Ｒ７＋Ｒ８］　　…式２
　（ここで，／／は並列接続合成抵抗であることを示す）
　　　【００７３】
　ゾーンＣ（２．４３〜２．７２Ｖ）
　ストロボ・スイッチ３１（ＳＷＳ）がオン，距離設定スイッチ３２によって比較的遠距離が設定され（ＳＷＢオン），ストロボ充電完了と判定される。
　　　【００７４】
　分圧抵抗回路は，抵抗Ｒ１，Ｒ２，Ｒ３，Ｒ４，Ｒ６，Ｒ７により構成され，入力電圧Ｖｉｎは次式で表わされる。
　　　【００７５】
　【数３】
　　Ｖｉｎ＝Ｖｏ・［ＲＢ／（Ｒ１十ＲＢ）］
　　ＲＢ＝Ｒ２／／［Ｒ３＋Ｒ４＋Ｒ６＋Ｒ７］　　…式３
　　　【００７６】
　ゾーンＤ（２．０５〜２．３６Ｖ）
　ストロボ・スイッチ３１（ＳＷＳ）がオン，距離設定スイッチ３２によって比較的近距離が設定され（ＳＷＡオン），ストロボ充電完了と判定される。
　　　【００７７】
　分圧抵抗回路は，抵抗Ｒ１，Ｒ２，Ｒ３，Ｒ４，Ｒ５，Ｒ７により構成され，入力電圧Ｖｉｎは次式で表わされる。
　　　【００７８】
　【数４】
　　Ｖｉｎ＝Ｖｏ・［ＲＣ／（Ｒ１十ＲＣ）］
　　ＲＣ＝Ｒ２／／［Ｒ３＋Ｒ４＋Ｒ５＋Ｒ７］　　…式４
　　　【００７９】
　ゾーンＥ（１．７〜２．０Ｖ）
　ストロボ・スイッチ３１（ＳＷＳ）がオフ，距離設定スイッチ３２によって比較的遠距離が設定されている（ＳＷＢオン）と判定される。
　　　【００８０】
　分圧抵抗回路は，抵抗Ｒ１，Ｒ２，Ｒ３，Ｒ４，Ｒ６により構成され，入力電圧Ｖｉｎは次式で与えられる。
　　　【００８１】
　【数５】
　　Ｖｉｎ＝Ｖｏ・［ＲＤ／（Ｒ１十ＲＤ）］
　　ＲＤ＝Ｒ２／／［Ｒ３＋Ｒ４＋Ｒ６］　　…式５
　　　【００８２】
　ゾーンＦ（０．８〜１．０Ｖ）
　ストロボ・スイッチ３１（ＳＷＳ）がオフ，距離設定スイッチ３２によって比較的近距離が設定されている（ＳＷＡオン）と判定される。
　　　【００８３】
　分圧抵抗回路は，抵抗Ｒ１，Ｒ２，Ｒ３，Ｒ４，Ｒ５により構成され，入力電圧Ｖｉｎは次式で与えられる。
　　　【００８４】
　【数６】
　　Ｖｉｎ＝Ｖｏ・［ＲＥ／（Ｒ１十ＲＥ）］
　　ＲＥ＝Ｒ２／／［Ｒ３＋Ｒ４＋Ｒ５］　　…式６
　　　【００８５】
　ゾーンＧ（０．８Ｖ以下）
　カメラ１のＣＰＵ４０が発光信号ＸＯＮを出力したときに，ＦＥＴ１がオンとなるので，入力電圧Ｖｉｎはグランド・レベルに近い電圧となる。
　　　【００８６】
　ＦＥＴ１がオンとなることにより，アダプタ側においてダイオードＤ１が導通し，コンパレータ７５の出力信号がＨレベル（起動信号）となり，ストロボ回路７０が起動されてストロボ発光が行なわれるのは上述した通りである。
　　　【００８７】
　図９および図１０はシャッタ・レリーズ・ボタン１１の押下から撮影終了までのＣＰＵ４０による処理手順を示している。図１１は被写体までの距離，絞り値およびガイド・ナンバの関係を示しており，（Ａ）はストロボ・アダプタ３０のカメラ１への装着の有無にかかわらず表わされる関係であり，（Ｂ）はカメラ１にストロボ・アダプタ３０が装着されており，かつストロボ・スイッチ３１がオンされている状態の関係をそれぞれ示している。
　　　【００８８】
　シャッタ・レリーズ・ボタン１１の第１段階のスイッチＳＷ１がオンとなると（ステップ９１），測距センサ２７による被写体までの距離の測定（ステップ９２）および被写体輝度値のための予備撮影（ステップ９３）が行なわれる。被写体までの測距結果にもとづいて撮像レンズ３の合焦制御が行なわれる（ステップ９４）。
　　　【００８９】
　また内蔵ストロボ５０が発光されるかどうかが検知される（ステップ９５）。この検知は設定部１３によりストロボ強制発光が設定されているかどうか，ストロボ強制発光が設定されていないときは予備撮影から得られる被写体輝度値が暗いため内蔵ストロボ５０が自動発光（いわゆるオート・ストロボ）されるかどうかによって行なわれる。
　　　【００９０】
　内蔵ストロボ５０の発光部１６が発光するときには，図１１（Ａ）を参照して，予備撮影から得られる被写体輝度値にもとづいて絞り２の制御および発光部１６による発光のためのガイド・ナンバの決定が行なわれる（ステップ９６）。ガイド・ナンバＧＮｏ．は後述するように，ストロボ・アダプタ３０のストロボ・スイッチ３１がストロボ発光するように設定されているときは，ストロボ光が減光するようにその補正が行なわれる。
　　　【００９１】
　内蔵ストロボ５０の発光部１６が発光しないときには予備撮影から得られる被写体輝度値から絞り値およびシャッタ速度がそれぞれ定められる（ステップ９７）。
　　　【００９２】
　その後，入力電圧Ｖｉｎが取込まれ，ディジタル・データに変換される（ステップ９７）。ＣＰＵ４０はこのディジタル・データが上述したＡ〜Ｆゾーンのいずれにあるかを判定する（ステップ１０３〜１０８）。
　　　【００９３】
　入力電圧ＶｉｎがＡゾーンにある場合には，アダプタは装着されていないと判定される（ステップ１３１）。したがって，この場合は必要ならばテレ，ワイド・ボタン１２Ａ，１２Ｂからのスイッチ入力に基づくレンズ駆動が行なわれ，シャッタ・レリーズ・ボタン１１の第２段階スイッチＳＷ２がオンとなると，ＣＣＤ３から映像信号が取込まれる。この映像信号はディジタル画像データに変換され，データ圧縮等の必要なデータ処理が加えられたのち，メモリに記憶される（ステップ１３２）。
　　　【００９４】
　入力電圧ＶｉｎがＢゾーンにある場合には，アダプタ３０が装着され，ストロボ・スイッチ３１がオンとなってはいるが，ストロボ充電中なのでまだ撮影処理には移れないと判定される（ステップ１４１）。シャッタ・レリーズ・ボタン１１を第２段階まで押下するのが禁止される（ステップ１４２）。これは，ボタン１１の第２段階への押下を機械的に阻止する機構としてもよいし，スイッチＳＷ２がたとえオンとなってもそれを無視してスイッチＳＷ２オン後の処理に進まないようにして実現してもよい。この後，時計４６からクロック信号が入力するのを待って（ステップ１４３），入力電圧Ｖｉｎのチェックが再び行われる（ステップ９７）。
　　　【００９５】
　入力電圧ＶｉｎがＣゾーンにある場合には，アダプタ装着，ストロボ・オン，ストロボ充電完了，設定距離は比較的遠距離（３５〜４５ｃｍ）と判定される（ステップ１５１）。また入力電圧ＶｉｎがＤゾーンにある場合には，アダプタ装着，ストロボ・オン，ストロボ充電完了，設定距離は比較的近距離（２５〜３５ｃｍ）と判定される（ステップ１６１）。
　　　【００９６】
　シャッタ・レリーズ・ボタン１１の第２段階の押下げがあると（ステップ１５２でＹＥＳ），カメラ１の内蔵ストロボ５０の発光部１６の発光があるかどうかが判断される（ステップ１５３）。
　　　【００９７】
　カメラ１の内蔵ストロボ５０の発光部１６が発光すると，そのストロボ光のほかにストロボ・アダプタ３０の発光部３６によるストロボ光が重畳されることになる。このためにステップ９６において定めた絞り値およびガイド・ナンバＧＮｏ．によって撮影を行なうと露出オーバとなる可能性が多い。したがってステップ９６において定められたガイド・ナンバＧＮｏ．が補正される（ステップ１５４）。この補正は図１１（Ｂ）に示すようにストロボ・スイッチ３１がオフとなっているときと比べてカメラ１の発光部１６の発光量が少なくなるようにして行なわれる。これによりカメラ１の発光部１６のストロボ光とストロボ・アダプタ３０の発光部３６のストロボ光とが重畳されることによる露出オーバを防ぐことができる。
　　　【００９８】
　ガイド・ナンバＧＮｏ．の補正が行なわれると，撮影条件の再設定が行われる。すなわちカメラ１０においては，至近距離撮影であるから撮像レンズ１７がテレの範囲内かつアダプタによって設定された撮影距離に適した位置に位置決めされる。また，アダプタ３０においては，発光部３６の向きが設定された撮影距離に適した角度に設定される。この後，カメラ１０のＣＰＵ４０から発光信号ＸＯＮが出力されると，ストロボ回路５０が起動回路５４によって起動され，発光部３６が発光する。入力電圧Ｖｉｎは０．８Ｖ以下となる。カメラ１０においては，ＣＣＤからの映像信号の読出し，ディジタル変換，画像データ処理，メモリヘの記憶が行なわれる（ステップ１５５）。
　　　【００９９】
　スイッチＳＷ１オンから，Ｂゾーンにあると判定され，その後ストロボ充電が完了してＤゾーンにあると判定され，さらにストロボ発光の下での撮影までの一連の動作と入力電圧Ｖｉｎの変化の一例が図８に示されている。
　　　【０１００】
　入力電圧ＶｉｎがＥゾーンにある場合には，アダプタ装着，ストロボ・スイッチ３１がオフ，設定距離は比較的遠距離と判定される（ステップ１７１）。また入力電圧ＶｉｎがＦゾーンにある場合には，アダプタ装着，ストロボ・スイッチ３１がオフ，設定距離は比較的近距離と判定される（ステップ１８１）。これらの場合にもスイッチＳＷ２がオンとなったのち（ステップ１７２），上記判定結果に応じた合焦制御および露光条件設定が行われる（ステップ１７３）。アダプタ３０のストロボは発光せず，設定されたガイド・ナンバＧＮｏ．にもとづいてカメラ１のストロボが発光する。
　　　【０１０１】
　ＡゾーンからＦゾーンのいずれでもなければ，エラー処理，たとえばエラーの旨の表示等が行われる（ステップ１０９）。
　　　【０１０２】
　上述の実施例においては，カメラ１の内蔵ストロボ５０の発光が行なわれるときは被写体までの距離に応じて一度ガイド・ナンバＧＮｏ．が設定され（ステップ９６），カメラ１の内蔵ストロボ５０の発光が行なわれ，かつストロボ・アダプタ３０の発光部３６の発光が行なわれるときには設定されたガイド・ナンバＧＮｏ．が補正されているが（ステップ１５４），被写体までの距離とストロボ・アダプタ３０の装着の有無およびストロボ・スイッチ３１の設定の有無に応じてガイド・ナンバＧＮｏ．を一遍に決定してもよい。
　　　【０１０３】
　さらに，距離設定スイッチ３２の設定に応じて合焦制御を行なうようにしてもよい。
【図面の簡単な説明】
　【図１】
　ストロボ・アダプタが装着されたカメラを示す斜視図である。
　【図２】
　ストロボ・アダプタの平面図である。
　【図３】
　ストロボ・アダプタの正面図である。
　【図４】
　ストロボ・アダプタの側面図である。
　【図５】
　カメラの電気的構成を示すブロック図である。
　【図６】
　カメラ内蔵ストロボの電気的構成を示す。
　【図７】
　カメラとアダプタの電気的構成を示す回路図である。
　【図８】
　アダプタの各種状態を表わす入力電圧の各ゾーンを示す。
　【図９】
　カメラのＣＰＵの撮影処理手順を示すフロー・チャートである。
　【図１０】
　カメラのＣＰＵの撮影処理手順を示すフロー・チャートである。
　【図１１】
　ストロボ・スイッチの状態，被写体までの距離，絞り値およびガイド・ナンバの関係を示す。
　【図１２】
　撮影シーケンスにおいて入力電圧が変化する様子を示すグラフである。
　【符号の説明】
　１　カメラ
　１１　シャッタ・レリーズ・ボタン
　１９　めねじ
　２１　Ｘ接点
　２１Ａ，２２Ａ穴
　２１Ｂ，２２Ｂ　突起
　２２　Ｇ接点
　２３　取付けねじ
　２３Ａ　つまみ
　３０　ストロボ・アダプタ
　３１　ストロボ・スイッチ
　３２　距離設定スイッチ
　３６　ストロボ発光部
　４０　ＣＰＵ
　４１　安定化電源回路
　４５　ＦＥＴ（スイッチング素子）
　５０　アダプタ・ストロボ回路
　５１　ストロボ・オン／オフ情報発生用抵抗回路
　５２　充電完了情報発生用抵抗回路
　５３　距離設定情報発生用抵抗回路
　５４　ストロボ起動回路
　５５　コンパレータ
　ＴＲ１，ＴＲ２　トランジスタ（スイッチング素子）
　Ｒ１，Ｒ２，Ｒ３，Ｒ４，Ｒ５，Ｒ６，Ｒ７，Ｒ８　抵抗
　ＳＷ１，ＳＷ２　シャッタ・レリーズ・ボタン
　ＳＷＡ，ＳＷＢ　距離設定スイッチ